(57)【要約】      （修正有）【課題】スタンド脚の開脚状態の支持力及び安定度を向上させるスタンド脚の開脚定位装置を提供する。【解決手段】スタンド脚の開脚定位装置のうちのスタンド脚は、結合台１０及び複数本のスタンド脚管２０を含み結合して構成する。そのうち結合台の底端は、複数の放射状に伸びた差込孔１３で仕切り、複数の差込孔はスタンド脚管の最上端を挿入して枢設し、複数のスタンド脚管は差込孔内において枢設点を軸心とし、外向きに開脚もしくは結合台の中間へ位置移動して閉脚する。差込孔の内部に定位装置を設置し、定位装置はスタンド脚管が開脚状態の時、スタンド脚管が定位装置によって位置を制限され、結合台の軸心端へ移動できない。【選択図】図３
0003215428.tif 000002
【実用新案登録請求の範囲】
【請求項１】
該スタンド脚は、結合台及び複数本のスタンド脚管を含み、該結合台は複数個の放射状に延び且つ孔口が下向きの差込孔が成形され、各差込孔はスタンド脚管の最上端を挿入し、更に枢設装置を該スタンド脚管及び該差込孔の孔壁に径方向に入れて二者を枢設し、該差込孔の内部は移動空間を形成し、該スタンド脚管は該移動空間内で開脚もしくは閉脚移動するスタンド脚の開脚定位装置において、
該差込孔の内部は、定位装置を設置し、該定位装置は該スタンド脚管が開脚状態の時、該スタンド脚管は該定位装置によって位置制限を受けることを特徴とするスタンド脚の開脚定位装置。
【請求項２】
前記定位装置は、該差込孔の孔内の相互に対応する内壁にやや突出した掛合凸塊を設置し、該スタンド脚管の開脚状態の時、該掛合凸塊は該スタンド脚管の管壁を掛合して位置制限することを特徴とする請求項１記載のスタンド脚の開脚定位装置。
【請求項３】
前記定位装置は、該差込孔の孔壁面の該スタンド脚管に最も近い管壁位置に、少なくとも凹槽もしくは通孔を設置し、該スタンド脚管の管壁の該凹槽もしくは通孔に対応する箇所は、相互に対応し且つ管壁外に突出する掛合粒を設置し、該スタンド脚管が開脚移動して極限に達した時、該掛合粒は該凹槽もしくは通孔内に嵌入して定位することを特徴とする請求項１記載のスタンド脚の開脚定位装置。
【請求項４】
前記掛合粒は、該スタンド脚管の管壁一体から外向きに突出して成形することを特徴とする請求項３記載のスタンド脚の開脚定位装置。
【請求項５】
前記掛合粒は、該スタンド脚管内にバネを連接した後、該スタンド脚管の壁面から外向きに突出することを特徴とする請求項３記載のスタンド脚の開脚定位装置。
【請求項６】
前記掛合粒は、ネジ部品を該スタンド脚管の外壁から螺設し、該ネジ部品の頭部は該掛合粒を成形することを特徴とする請求項３記載のスタンド脚の開脚定位装置。
【請求項７】
前記差込孔の該スタンド脚管が開脚移動する方向の孔壁は、補助孔を設置し、該スタンド脚管の管壁の該補助孔に対応する位置には側孔を穿設し、該スタンド脚管が開脚状態で且つ大きな負荷を受けた時、ネジ部品を該補助孔から挿入して該側孔と螺設し、該スタンド脚の支持力を高めることを特徴とする請求項１から６のうち任意の一項記載のスタンド脚の開脚定位装置。
【請求項８】
前記枢設装置は、枢設軸で径方向に該スタンド脚管及び差込孔の孔壁を通し二者を枢設することを特徴とする請求項１記載のスタンド脚の開脚定位装置。
【請求項９】
前記枢設装置は、該スタンド脚管内にＵ字型バネを設置し、該Ｕ字型バネの両端は掛合体をそれぞれ連接し、該掛合体は該スタンド脚管の両側管壁の予め設置した二径向孔から出し、該差込孔の該スタンド脚管に枢設する位置で且つ二掛合体に対応する位置の両側孔壁には、掛合孔もしくは掛合凹槽をそれぞれ設置し、該掛合体は該掛合孔もしくは該掛合凹槽内へ入れて枢設することを特徴とする請求項１記載のスタンド脚の開脚定位装置。
【請求項１０】
前記枢設装置は、該スタンド脚管外壁の相互に対応する箇所に外向きに突出する枢設粒をそれぞれ有し、該差込孔の該スタンド脚管を枢設する位置で且つ二枢設粒が対応する位置の両側孔壁には掛合孔もしくは掛合凹槽をそれぞれ設置し、該枢設粒は該掛合孔もしくは該掛合凹槽内に挿入して枢設することを特徴とする請求項１記載のスタンド脚の開脚定位装置。
【請求項１１】
前記差込孔の内部両側孔壁の該掛合孔もしくは該掛合凹槽に対応する位置は、案内槽をそれぞれ設置し、該案内槽は該差込孔の孔口端から該掛合孔もしくは該掛合凹槽箇所までまっすぐに通じることを特徴とする請求項９もしくは１０記載のスタンド脚の開脚定位装置。
【請求項１２】
前記枢設装置は、該差込孔の両外側に掛合孔を設置し、該二掛合孔内にはネジ部品もしくはリベットを挿入して該差込孔内の該スタンド脚管と固定し、該スタンド脚管を結合台と枢設することを特徴とする請求項１記載のスタンド脚の開脚定位装置。
【考案の詳細な説明】
【技術分野】
【０００１】
本考案は、スタンド脚の開脚定位装置に関するもので、特にスタンド脚管が開脚時に位置制限する定位装置である。
【背景技術】
【０００２】
スタンド脚は物品、例として電気扇風機を支持するのに用いる。公知スタンド脚は、結合台及び複数本のスタンド脚管を含み結合して構成する。そのうち該結合台の底端は複数が放射状に延びた差込孔で仕切られ、該複数の差込孔はスタンド脚管の最上端を挿入及び枢設に用い、該複数のスタンド脚管は該差込孔内に於いて枢設点を軸心とし、外向きに開脚、もしくは該結合台の中間へ位置移動して閉脚する動作をする。それによって、該差込孔の内部は該スタンド脚管が開脚する、もしくは閉脚する時に移動するための移動空間を必要とする。
【考案の概要】
【考案が解決しようとする課題】
【０００３】
解決しようとする問題点は、公知スタンド脚管が開脚状態で定位する時、大部分は該スタンド脚管が開脚した時、外壁と結合台の差込孔の孔壁の間の接合で位置を制限するにすぎない。更に該スタンド脚管の外端向きの管壁は位置が制限されているが、面が該結合台端向きの管壁はない。拠って、該スタンド脚の支持力を弱め、且つ万一、人が該スタンド脚管を蹴ってしまうと、該スタンド脚管は結合台軸心端向きに閉脚し、スタンド脚が倒れてしまう。
【０００４】
本考案者は、公知応用上の上述の欠点を改善する必要がある。
【課題を解決するための手段】
【０００５】
本考案のスタンド脚の開脚定位装置のうちの該スタンド脚は、結合台及び複数本のスタンド脚管を含み結合して構成する。そのうち該結合台の底端は、複数の放射状に伸びた差込孔で仕切り、該複数の差込孔はスタンド脚管の最上端を挿入して枢設し、該複数のスタンド脚管は該差込孔内において枢設点を軸心とし、外向きに開脚もしくは該結合台の中間へ位置移動して閉脚する。該差込孔の内部に定位装置を設置し、該定位装置は該スタンド脚管が開脚状態の時、該スタンド脚管が該定位装置によって位置を制限され、該結合台の軸心端へ移動できないことを最も主要な特徴とする。
【考案の効果】
【０００６】
本考案のスタンド脚の開脚定位装置は、該スタンド脚の開脚状態の支持力及び安定度を向上させるという利点がある。
【図面の簡単な説明】
【０００７】
【図１】本考案の実施例の立体組立図である。
【図２】本考案の実施例の分解図である。
【図３】本考案の実施例の組立仰視図(第一種枢設装置を含む)である。
【図４】本考案の実施例のスタンド脚管の開脚状態断面図である。
【図４Ａ】本考案の実施例のスタンド脚管の閉脚状態断面図である。
【図４Ｂ】本考案実施例のスタンド脚管の開脚状態をネジ部品で支持力を強化した断面図である。
【図５】本考案実施例の掛合凸塊の別の構造図である。
【図６】本考案実施例の定位装置(一)が掛合粒で掛合定位する断面図である。
【図７】本考案実施例の定位装置(二)が掛合粒で掛合定位する断面図である。
【図８】本考案実施例の定位装置(三)が掛合粒で掛合定位する断面図である。
【図９】本考案実施例の定位装置(四)が掛合粒で掛合定位する断面図である。
【図１０】本考案実施例の定位装置(五)が掛合粒で掛合定位する断面図である。
【図１１】本考案実施例の第二種枢設装置の結合外観図である。
【図１２】図１１の部分分解図である。
【図１３】本考案実施例の第三種枢設装置の断面図である。
【図１４】本考案実施例の第四種枢設装置の断面図である。
【図１５】本考案実施例の第五種枢設装置の断面図である。
【図１６】本考案実施例の第六種枢設装置の断面図である。
【図１７】本考案実施例の第七種枢設装置の断面図である。
【考案を実施するための形態】
【０００８】
スタンド脚管を開脚した時、位置制限する定位装置を提供することを本考案の主な目的とする。
【０００９】
本考案の主な特徴は、該差込孔の内部に定位装置を設置し、該定位装置は該スタンド脚管が開脚状態の時、該スタンド脚管は該定位装置の位置制限を受け、該結合台の軸心端へ移動できないため、該スタンド脚の開脚状態の支持力及び安定度を向上させる。
【実施例】
【００１０】
本考案は上述の目的及び効果を達成するため、以下の実施例を上げ、図式と共に説明する。
【００１１】
図１〜４に示すとおり、本考案実施例のスタンド脚１は、結合台１０、複数本のスタンド脚管２０及び定位装置３０を含み結合して構成する。
【００１２】
該結合台１０は、軸心位置に結合孔１１を備える。該結合孔１１は、物件を結合するのに用いる。物件の例として扇風機の機体ヘッドの支持桿を提供し、それを挿入してネジ栓１２で締めて定位する。該結合台１０は該結合孔１１の孔の外側に複数個の放射状に延び且つ孔口が下向きの差込孔１３が仕切られる。各差込孔１３はスタンド脚管２０の最上端を挿入し、枢設装置４０(本実施例は枢設軸１４を例とする)を該スタンド脚管２０及び差込孔１３孔壁に径方向に挿入し、二者を枢設する。該複数のスタンド脚管２０は該差込孔１３内で枢設軸１４を軸心とし、外向きに開脚、もしくは該結合台１０中間端へ位置移動して閉脚動作を行う。これらによって、該差込孔１３の内部は移動空間が形成され、該スタンド脚管２０を該移動空間内で開脚もしくは閉脚時に移動する。該差込孔１３の該スタンド脚管２０が開脚移動方向に対応する孔壁は、補助孔１５を設置する。
【００１３】
該スタンド脚管２０は最上端が対応する差込孔１３内に挿入され、上述の枢設軸１４が対応する位置の管壁には枢設孔２１を設置し、該枢設軸１４で結合台１０と枢設するのに用いる。底端は下向きに延び、地面に接地するのに用いる。該スタンド脚管２０の管壁の該補助孔１５に対応する位置には、側孔２２を穿設し、スタンド脚管２０が開脚状態で且つ比較的大きな負荷を受けた時、一時的に該スタンド脚管２０上に取り付けたネジ部品２３を取り外す。その後、該ネジ部品２３を該補助孔１５から挿入して側孔２２と螺設することで、該スタンド脚１の支持力(図４Ｂ参照)が向上する。
【００１４】
該定位装置３０は、該差込孔１３の内部に設置する。該スタンド脚管２０が開脚状態の時、該スタンド脚管２０は該定位装置３０の位置制限を受け、該結合台１０の軸心端へ移動できない。拠って、該スタンド脚１の開脚状態の支持力及び安定度が向上する。以下に複数個の定位装置３０の構造を挙げる。
【００１５】
図１〜４及び５に示すとおり、該定位装置３０は、該差込孔１３の孔内の相互に対応する内壁に、やや突出した掛合凸塊３１を設置し、該掛合凸塊３１の設置は、スタンド脚管２０が開脚状態の時、該スタンド脚管２０面に対応して該結合台１０中心端の管壁箇所に位置し、該スタンド脚管２０が開脚状態の時、該掛合凸塊３１は該スタンド脚管２０面を該結合台１０中心端の管壁に向けて掛合して位置制限する。該掛合凸塊３１の左右両端は円弧面状で、中間が最も突出し、該スタンド脚管２０が力をかけられて開脚もしくは閉脚移動した時、スムーズに該掛合凸塊３１を通過する。
【００１６】
図６〜１０に示すとおり、スタンド脚管２０が開脚状態の時、該差込孔１３の孔壁面の該スタンド脚管２０に対して最も近い管壁位置は、相互に対応する凹槽３４もしくは通孔３２を設置し、スタンド脚管２０の管壁の該凹槽３４(例として図７)もしくは通孔３２(例として図８)に対応する箇所には、相互に対応し且つ管壁外に突出した掛合粒３３を設置し、該スタンド脚管２０が開脚移動して極限に達した時、該掛合粒３３は該凹槽３４もしくは通孔３２内に嵌入して定位し、該スタンド脚管２０を定位する。該掛合粒３３の図７、８に示すのは、スタンド脚管２０管壁から一体プレス成型したものである。図９に示すのは、スタンド脚管２０内にＵ字型バネ３３０し、該Ｕ字型バネ３３０両端は掛合粒３３をそれぞれ連接する。該掛合粒３３は該スタンド脚管２０管壁から出る。図１０に示す該掛合粒３３は、小ネジ部品３３１で該スタンド脚管２０の外壁からネジ止めし、該ネジ部品３３１の頭部が該掛合粒３３を成形する。また、該掛合粒３３が凹槽３４もしくは通孔３２との設置、スタンド脚管２０、差込孔１３の設置は、単辺もしくは両辺どちらでもよく選択して設置する。
【００１７】
該枢設装置４０は、図１１〜１３に示すとおり、スタンド脚管２０内にＵ字型バネ４１を設置する。該Ｕ字型バネ４１の両端は、掛合体４２をそれぞれ連接する。該掛合体４２は該スタンド脚管２０の両側管壁に予め設置した二径向孔２４から出る。該差込孔１３の該スタンド脚管２０位置に枢設し且つ二掛合体４２位置に対応する両側孔壁は、掛合孔１３０をそれぞれ設置する。該差込孔１３の内部両側孔壁の該掛合孔１３０に対応する位置には、案内槽１３１をそれぞれ凹設し、該案内槽１３１は該差込孔１３の孔口端から該掛合孔１３０までまっすぐに通り、該二掛合体４２は該案内槽１３１を経て該掛合孔１３０内にスムーズに嵌入して枢設する。該枢設装置４０の掛合孔１３０は、図１４に示すとおり、該差込孔１３の内壁に掛合凹槽１３２を凹設して代替する。該枢設装置４０は図１５に示すとおり、ネジ部品４３(もしくはリベット)を該差込孔１３両外側の掛合孔１３０から該差込孔１３内に入れて該スタンド脚管２０とネジ止めし、該スタンド脚管２０を結合台１０と枢設する。該枢設装置４０は図１６、１７に示すとおり、該スタンド脚管２０外壁の相互に対応する箇所に枢設粒２５をそれぞれ外向きに突出させ、該差込孔１３の該スタンド脚管２０に枢設する位置で且つ二枢設粒２５に対応する位置の両側孔壁には、掛合孔１３０もしくは掛合凹槽１３２をそれぞれ設置し、該枢設粒２５は該掛合孔１３０もしくは該掛合凹槽１３２内へ入れて枢設する。
【００１８】
上述のとおり、本考案は新奇性だけでなく、且つ産業利用性及び進歩性にも優れるため、法令に従い実用新案登録を申請する。
【符号の説明】
【００１９】
１        スタンド脚
１０        結合台
１１        結合孔
１２        ネジ栓
１３        差込孔
１３０        掛合孔
１３１        案内槽
１３２        掛合凹槽
１４        枢設軸
１５        補助孔
２０        スタンド脚管
２１        枢設孔
２２        側孔
２３        ネジ部品
２４        径向孔
２５        枢設粒
３０        定位装置
３１        掛合凸塊
３２        通孔
３３        掛合粒
３３０        Ｕ字型バネ
３３１        ネジ部品
３４        凹槽
４０        枢設装置
４１        Ｕ字型バネ
４２        掛合体
４３        ネジ部品
【図１】
0003215428.tif 000003
【図２】
0003215428.tif 000004
【図３】
0003215428.tif 000005
【図４】
0003215428.tif 000006
【図４Ａ】
0003215428.tif 000007
【図４Ｂ】
0003215428.tif 000008
【図５】
0003215428.tif 000009
【図６】
0003215428.tif 000010
【図７】
0003215428.tif 000011
【図８】
0003215428.tif 000012
【図９】
0003215428.tif 000013
【図１０】
0003215428.tif 000014
【図１１】
0003215428.tif 000015
【図１２】
0003215428.tif 000016
【図１３】
0003215428.tif 000017
【図１４】
0003215428.tif 000018
【図１５】
0003215428.tif 000019
【図１６】
0003215428.tif 000020
【図１７】
0003215428.tif 000021
【手続補正書】
【提出日】平成30年1月19日(2018.1.19)
【手続補正１】
【補正対象書類名】実用新案登録請求の範囲
【補正対象項目名】請求項１
【補正方法】変更
【補正の内容】
【請求項１】
スタンド脚は、結合台及び複数本のスタンド脚管を含み、該結合台は複数個の放射状に延び且つ孔口が下向きの差込孔が成形され、各差込孔はスタンド脚管の最上端を挿入し、更に枢設装置を該スタンド脚管及び該差込孔の孔壁に径方向に入れて二者を枢設し、該差込孔の内部は移動空間を形成し、該スタンド脚管は該移動空間内で開脚もしくは閉脚移動するスタンド脚の開脚定位装置において、
該差込孔の内部は、定位装置を設置し、該定位装置は該スタンド脚管が開脚状態の時、該スタンド脚管は該定位装置によって位置制限を受けることを特徴とするスタンド脚の開脚定位装置。